(57)【要約】【課題】電線を碍子の頂部に固定する場合において、ビニル被覆バインド線によるバインドではなく巻付バインドを可能とする頂部巻付型電線バインド及び頂部巻付型電線バインドを用いたバインド方法を提供すること。【解決手段】頂部巻付型電線バインドは、電線を碍子の頂部に保持するために前記電線及び前記碍子に跨って取り付けられる絶縁電線用巻付バインドであって、絶縁電線用巻付バインドの中央部に前記碍子の頸部に嵌合させて１周り半巻き付ける円弧状巻掛部２と、前記碍子の頂部に載置した電線を該電線の下方から該電線に巻き付けるように交差して押縛する螺旋状の２つの押縛部３と、前記碍子の頸部に係合させて交差して半周り巻き付ける半円弧状の２つの碍子係合部４と、絶縁電線用巻付バインドの長手方向の両端部に位置し、前記電線に巻き付けるための２つの螺旋部５とを有する。【選択図】図１２
2009176497.tif 000002
【特許請求の範囲】
【請求項１】
電線を碍子の頂部に保持するために前記電線及び前記碍子に跨って取り付けられる絶縁電線用巻付バインドであって、
絶縁電線用巻付バインドの中央部に前記碍子の頸部に嵌合させて１周り半巻き付ける円弧状巻掛部と、
前記碍子の頂部に載置した電線を該電線の下方から該電線に巻き付けるように交差して押縛する螺旋状の２つの押縛部と、
前記碍子の頸部に係合させて交差して半周り巻き付ける半円弧状の２つの碍子係合部と、
絶縁電線用巻付バインドの長手方向の両端部に位置し、前記電線に巻き付けるための２つの螺旋部と
を有することを特徴とする頂部巻付型電線バインド。
【請求項２】
電線を碍子の頂部に絶縁電線用巻付バインドにより保持するバインド方法であって、
絶縁電線用巻付バインドの中央部に前記碍子の頸部に嵌合させて１周り半巻き付ける円弧状巻掛部と、前記碍子の頂部に載置した電線を該電線の下方から該電線に巻き付けるように交差して押縛する螺旋状の２つの押縛部と、前記碍子の頸部に係合させて交差して半周り巻き付ける半円弧状の２つの碍子係合部と、絶縁電線用巻付バインドの長手方向の両端部に位置し、前記電線に巻き付けるための２つの螺旋部とを予め形成した電線バインドを用い、
碍子の頸部に前記円弧状巻掛部を嵌合させるステップと、
碍子の頂部に載置した電線を前記２つの押縛部により該電線の下方から該電線に巻き付けるように交差して押縛するステップと、
前記碍子係合部を前記碍子の頸部に係合させるステップと、
前記螺旋部を前記電線に巻き付けるステップと
を有するバインド方法。
【発明の詳細な説明】
【技術分野】
【０００１】
本発明は、ピン碍子の頂部に電線を保持する頂部巻付型電線バインド及び頂部巻付型電線バインドを用いたバインド方法に関する。
【背景技術】
【０００２】
従来より、通り箇所の電線を碍子の頂部に固定する場合、及び、変圧器リード線等の縁線を固定する場合、ビニル被覆バインド線によるバインド方法によって行っている。また、規格電線の縁線部分を固定する場合（高圧引留箇所の縁線）は、巻付バインドにより行っている。巻付バインドについては、ホットスティック工法において容易に作業が行えるよう電線を仮保持する保持具を備えた電線中間支持具が提案されている（例えば、特許文献１）。また、バインド方式ではなく、特殊器具を用いた電線支持方法も提案されている（例えば、特許文献２）。
【特許文献１】特開平６−２５３４３９号公報
【特許文献２】特開平１０−５６７２６号公報
【発明の開示】
【発明が解決しようとする課題】
【０００３】
しかし、図１に示すように、被覆バインドによる固定では、電線１０２や碍子１０３に対し、何回もバインド線１０１を巻き付けなければならず、作業が煩雑である。また、間接活線工法により取り付けできない。さらに、作業者の習熟度によって固定度合いにバラツキが生じるという問題があった。
【０００４】
一方、図２に示すように、縁線部分の巻付バインドによる固定では、電線１０２に巻き付けるバインド線２００の螺旋部分２０１が長いため、電線圧縮箇所が制限されるという問題があった。また、特殊固定具を用いる場合は、耐久性が課題であった。
【課題を解決するための手段】
【０００５】
本発明は、上記の課題に鑑みてなされたものであり、電線を碍子の頂部に固定する場合において、ビニル被覆バインド線によるバインドではなく巻付バインドを可能とする頂部巻付型電線バインド及び頂部巻付型電線バインドを用いたバインド方法を提供することを目的とする。
具体的には、以下のような頂部巻付型電線バインド及び頂部巻付型電線バインドを用いたバインド方法を提供する。
【０００６】
（１）電線を碍子の頂部に保持するために前記電線及び前記碍子に跨って取り付けられる絶縁電線用巻付バインドであって、
絶縁電線用巻付バインドの中央部に前記碍子の頸部に嵌合させて１周り半巻き付ける円弧状巻掛部と、
前記碍子の頂部に載置した電線を該電線の下方から該電線に巻き付けるように交差して押縛する螺旋状の２つの押縛部と、
前記碍子の頸部に係合させて交差して半周り巻き付ける半円弧状の２つの碍子係合部と、
絶縁電線用巻付バインドの長手方向の両端部に位置し、前記電線に巻き付けるための２つの螺旋部と
を有することを特徴とする頂部巻付型電線バインド。
【０００７】
本発明のこのような構成によれば、絶縁電線用巻付バインドの中央部に前記碍子の頸部に嵌合させて１周り半巻き付ける円弧状巻掛部と、前記碍子の頂部に載置した電線を該電線の下方から該電線に巻き付けるように交差して押縛する螺旋状の２つの押縛部と、前記碍子の頸部に係合させて交差して半周り巻き付ける半円弧状の２つの碍子係合部と、絶縁電線用巻付バインドの長手方向の両端部に位置し、前記電線に巻き付けるための２つの螺旋部とが予め電線バインドに形成されているので、取り付け、取り外しの作業が容易であり、作業者の習熟度によるバラツキが生じない。
【０００８】
また、予め装着するための形状が形成されたバインド材を用いた巻付バインドであるので間接活線工法による取り付けが可能である。
【０００９】
また、押縛部を有するので螺旋部の長さを短くでき、電線圧縮箇所の制限が少ないため変圧器リード線等の縁線を固定する場合にも有効である。
【００１０】
（２）電線を碍子の頂部に絶縁電線用巻付バインドにより保持するバインド方法であって、
絶縁電線用巻付バインドの中央部に前記碍子の頸部に嵌合させて１周り半巻き付ける円弧状巻掛部と、前記碍子の頂部に載置した電線を該電線の下方から該電線に巻き付けるように交差して押縛する螺旋状の２つの押縛部と、前記碍子の頸部に係合させて交差して半周り巻き付ける半円弧状の２つの碍子係合部と、絶縁電線用巻付バインドの長手方向の両端部に位置し、前記電線に巻き付けるための２つの螺旋部とを予め形成した電線バインドを用い、
碍子の頸部に前記円弧状巻掛部を嵌合させるステップと、
碍子の頂部に載置した電線を前記２つの押縛部により該電線の下方から該電線に巻き付けるように交差して押縛するステップと、
前記碍子係合部を前記碍子の頸部に係合させるステップと、
前記螺旋部を前記電線に巻き付けるステップと
を有するバインド方法。
【００１１】
本発明のこのような構成によれば、（１）に記載の頂部巻付型電線バインドを用い、予め形成された各部を碍子と電線に取り付けることによって電線を支持する方法を提供するので、（１）に記載の発明と同様の効果を有する。
【発明の効果】
【００１２】
本発明によれば、予め形成した電線バインドを用いて碍子の頂部に電線を保持するので、作業が容易で作業者によるバラツキがなく、かつ間接活線工法も可能となる。また、碍子の頂部に載置した電線を押縛するので、螺旋部に掛かる負担が少なくなり、螺旋部分を短くできるという効果を奏することができる。
【発明を実施するための最良の形態】
【００１３】
以下、通り箇所の電線を碍子の頂部に固定する場合において本発明を実施するための最良の形態について図を参照しながら説明する。なお、これはあくまでも一例であって、本発明の技術的範囲はこれに限られるものではない。
【００１４】
（バインド材の作成手順）
図３は、所定の形状が形成されたバインド材を示す図である。バインド材１は、鋼製の金属線に絶縁性の合成樹脂等で被覆された、長さ約１２５０ｍｍ、太さ４．２ｍｍのものを用いる。金属線の直径は約２．５ｍｍであり、その周囲に０．８〜０．９ｍｍの厚さで被覆されている。但し、材質はこれに限定されるものではなく、弾性及び高張力を有する金属線が絶縁被覆されたものであればよく、寸法も適宜適当な寸法のものを採用してもよい。
【００１５】
バインド材１は、円弧状巻掛部２、円弧状巻掛部２に続く２つの押縛部３、それぞれが各押縛部３に続く２つの碍子係合部４、及びそれぞれが各碍子係合部４に続く２つの螺旋部５から構成される。バインド材１の各部の形状は、直線状のバインド材を碍子に予め取り付け処理を行うことにより形成される。バインド材１は、直線状のバインド素材１’（図４〜図１３参照）を曲げ加工することにより得られる。以下、図４〜図１３に従って、バインド材１の碍子１０への取り付けを通じてバインド材１の各部の形状を形成する仕方を説明する。
【００１６】
図４は、バインド材１を曲げ加工する前のバインド素材１’と碍子１０の取り付け前の状況を示した図である。碍子１０は、直径約８０ｍｍの平面を有する頂部１１を有する厚さ約１０ｍｍの顎状の縁部１３と、縁部１３の下に形成された高さ約２５ｍｍ、直径約６０ｍｍの頸部１４と、頸部１４の下に形成された直径１００ｍｍの円筒体１５とを備える。縁部１３は、頂部１１の平面の中央に電線を載置するための半円筒状の溝１２を有する。溝１２の深さ寸法は、縁部１３の厚さ寸法と略同じに設定されている。したがって、縁部１３は、溝１２によって、２つの半円盤状縁部１３ａ、１３ｂに分割されている。また、半円盤状縁部１３ａ、１３ｂは、頸部１４に一体的に形成されている。半円盤状縁部１３ａ、１３ｂのそれぞれは、一方及び他方の突起状部１３ｃを形成している。
【００１７】
縁部１３と頸部１４と円筒体１５とは、頸部１４を底面とする溝Ｓを形成している。溝Ｓは、頸部１４側の縁部１３の端面及び頸部１４側の円筒体１５の端面が円錐側面の一部と同じ形状を有しているので、両端面の間隔が頸部１４に近づくにつれて狭くなるいわゆるＶ型溝を形成している。頸部１４が約２５ｍｍの高さを有するので、幾重にも直径約２．５ｍｍのバインド材１を溝Ｓに巻き付けることができる。
【００１８】
また、溝１２の深さ寸法が縁部１３の厚さ寸法と略同じに設定されているので、縁部１３を上方から見ると、半円盤状縁部１３ａの突起状部１３ｃと半円盤状縁部１３ｂの突起状部１３ｃとの間には、凹部１３ｄが形成されている。この凹部１３ｄの底部は、頸部１４の側面とほぼ同じ位置にある。
【００１９】
（１）図４に示すように、碍子１０の頸部１４の手前の側面１４ａに、溝１２と平行になるようにバインド素材１’の中央Ａを当てる。これにより、バインド素材１’は、中央Ａが頸部１４の手前の側面１４ａに接した状態でかつ左右方向に伸びた状態にされる。
【００２０】
（２）図５に示すように、バインド素材１’の中央部（図５のハッチング部分）から左側を、バインド素材１’が碍子１０の頸部１４の側面から外れないように、かつ、碍子１０の頸部１４に密着するように、右回りに半周り半だけ頸部１４の側面に巻き付ける。同様に、バインド素材１’の中央部（図５のハッチング部分）から右側を、左回りに半周り半だけ頸部１４の側面に巻き付ける。そうすると、図６に示すような、バインド素材１’は、バインド素材１’の中央部Ａを頸部１４の側面に１周り半巻き付けた状態になる。
【００２１】
バインド素材１’のうち頸部１４の側面に巻き付け部分は円弧状巻掛部２を構成する。以下の説明では、バインド素材１’の中央Ａを当てた部分を頸部１４の正面、その反対側を頸部１４の裏面と呼ぶことにする。バインド素材１’の円弧状巻掛部２は頸部１４の側面のうち裏面で交差している。
【００２２】
円弧状巻掛部２の両端は、頸部１４の左右の側面近傍に位置している。換言すると、バインド素材１’のうち円弧状巻掛部２の両端は、縁部１３における溝Ｓの両端近傍（更に換言すれば、半円盤状縁部１３ａの突起状部１３ｃと半円盤状縁部１３ｂの突起状部１３ｃとの間に形成された凹部１３ｄの近傍）に位置している。
【００２３】
（３）図７に示すように、溝１２の伸びる方向と電線２０の伸びる方向とが互いに平行になるように、電線２０を溝１２に載せる。電線２０の太さは約２３ｍｍで絶縁被覆されている。このとき、円弧状巻掛部２より外側の残部は、電線２０の下から碍子１０の正面方向に出る。したがって、バインド素材１’は、電線２０の下を頸部１４の背面側から正面側に伸びている。
【００２４】
（４）図８に示すように、電線２０の下側に位置し、バインド素材１’の右側手前に伸びている残部を、電線２０を碍子１０の頂部１１ひいては溝１２に押し付けるように、左側斜め後方に巻き付け、さらに、電線２０の左側の下側を通って左手前側に伸びるように、電線２０の左側の側面を半巻きする。この巻き付け部分は１つの押縛部３を構成する。
【００２５】
（５）図９に示すように、電線２０の下側に位置し、バインド素材１’の左側手前に伸びている残部を、電線２０を碍子１０の頂部１１ひいては溝１２に押し付けるように、右側斜め後方に巻き付け、さらに、電線２０の右側の下側を通って右手前側に伸びるように、電線２０の右側の側面を半巻きする。この巻き付け部分はもう１つの押縛部３を構成する。このとき、２つの押縛部３は電線２０の上部で交差して碍子１０ひいては溝１２に電線２０を保持する。バインド素材１’の残部は、電線２０の下から碍子１０の正面方向に出る。
【００２６】
（６）図１０に示すように、電線２０の下から碍子１０の正面方向に出ているバインド素材１’の残部を、碍子１０の正面の頸部１４で交差するように半円弧状に頸部１４に密着して半周だけ巻き付ける。この巻き付け部分は碍子係合部４を構成する。このとき、バインド素材１’の残部は電線２０の下部後方に出る。そして、２つの押縛部３は電線２０の上部を碍子１０の頂部１１ひいては溝１２にさらに強く押さえ付けた状態となる。また、円弧状巻掛部２から伸びるバインド素材１’は、電線２０と半円盤状縁部１３ｂの突起状部１３ｃとを纏めて締め付けるように、頸部１４に巻き付いているので、さらに、堅個に電線２０は碍子１０の頂部１１ひいては溝Ｓに固定される。
【００２７】
（７）図１１及び図１２に示すように、（６）で碍子１０の頸部１４に半円弧状に巻き付けたバインド素材１’をそれぞれ電線２０に２回螺旋状に巻き付ける。この巻付部分はそれぞれ螺旋部５を構成する。図１２はバインドが終了した状態を正面から見た図である。
【００２８】
（８）その後、巻き付けたバインド材１を各部の形状が変わらないようにしながら取り外すと図３に示した所定の形状を形成したバインド材１を得ることができる。
【００２９】
実際に現場で取り付ける前に、予めこのようにして一旦バインド素材１’を碍子１０及び電線２０に取り付けると、バインド素材１’の形状記憶機能により、取り外しても取り付けたときの形状が保存され、バインド材１を得る。したがって、取り外し後のバインド材１は、中央部に碍子１０の頸部１４に嵌合させて１周り半巻き付ける円弧状巻掛部２と、碍子１０の頂部１１に載置した電線２０を電線２０の下方から電線２０に巻き付けるように交差して押縛する螺旋状の２つの押縛部３と、碍子１０の頸部１４に係合させて交差して半周り巻き付ける半円弧状の２つの碍子係合部４と、バインド材１の長手方向の両端部に位置し、電線２０に巻き付けるための２つの螺旋部５とを形成することとなる。
【００３０】
（取り付け手順）
次に、第１の実施形態において所定の形状を形成したバインド材を用いて、電線及び碍子に取り付ける方法について説明する。基本的な手順は第１の実施形態と同じであるが、バインド材１がすでにバインドのための所定の形状を形成しているため、作業は簡単に行うことができる。
【００３１】
なお、以下の説明及び図面において、前述した第１の実施形態と同様の機能を果たす部分には、同一の符号を付して、重複する説明を適宜省略する。
【００３２】
以下、図１３〜図２１に従って、碍子１０への所定の形状を形成したバインド材１の取り付け処理について説明する。
【００３３】
（１）図１３及び図１４に示すように、２つの円弧状巻掛部２が碍子１０の裏面の頸部１４で互いに交差するように、碍子１０の頸部１４に円弧状巻掛部２を嵌め込む。このとき、円弧状巻掛部２が緩まないように、円弧状巻掛部２に張力を付与することが好ましい。
【００３４】
（２）図１５に示すように、２つの押縛部３の下側に位置するように、碍子１０の頂部１１の溝１２に電線２０を載せる。
【００３５】
（３）図１６〜図１８に示すように、電線２０の下から碍子１０の正面側に前方に出ている円弧状巻掛部２の終端（換言すると押縛部３の始端）が碍子１０から離れないようにしながら、それぞれの押縛部３を、電線２０を碍子１０の頂部１１の溝１２に押し付けるように斜め後方に巻き付ける。
【００３６】
（４）図１９に示すように、電線２０の下から碍子１０の正面側に前方に出ている押縛部３の終端（換言すると碍子係合部４の始端）が碍子１０から離れないようにしながら、それぞれの碍子係合部４を碍子１０の正面の頸部１４で交差するように半円弧状に頸部１４に密着して巻き付ける。
【００３７】
（５）図２０及び図２１に示すように、螺旋部５を碍子１０の裏面方向から電線２０にそれぞれ２回螺旋状に巻き付ける。これにより、バインド材１の両端にそれぞれ相当する２つの螺旋部５が電線２０の側面に密着した状態で巻き付いているので、２つの押縛部３が緩むことはほとんど無い。
【００３８】
（６）以上の操作によってバインド作業を終了する。図２１はバインド作業が終了した状態を正面側から見た図、図２２は裏面側から見た図である。なお、図２３は、図２１を碍子１０と電線２０を仮想線にしてバインド材１の巻き付け状況を示した図である。
【００３９】
このように各部の形状が形成されたバインド材１を用いて取付作業を行う場合は、碍子１０の頸部１４や電線２０に簡単に巻き付けることができるので、特段、力や技量を必要とせず、操作器具によっても容易に行うことができる。その結果、取付作業を無停電、活線状態で行うことができる。
【００４０】
（別の実施形態）
高圧引留箇所の縁線部分を固定する場合は、電線圧縮箇所がバインド材１の端に接触すると風等による電線動揺に伴い接触部の絶縁被覆が剥がれ、通電部が露出する可能性があるので螺旋部５を短くすることが望ましい。そこで、高圧引留箇所の縁線部分を固定する場合には、通り箇所の電線２０を固定する場合と異なり、螺旋部５の巻き数を１回程度と短くする（図は省略）。
【００４１】
本発明においては、電線２０の碍子１０への保持は２つの押縛部３で主として行うので、螺旋部５の電線２０の保持という観点での役割は相対的に低下している。特に縁線部分の固定の場合は、電線２０に掛かる力もそれほど大きくないので、バインド材１の端部の固定という意味合いが大きい。
【００４２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００４３】
【図１】従来のビニル被覆バインド線によるバインド方法を示す図である。
【図２】別の従来の碍子側部で巻付バインドにより電線を保持する際のバインド方法を示す図である。
【図３】本発明に係るバインド材（絶縁電線用巻付バインド）を示す図である。
【図４】本発明に係る碍子の頂部で巻付バインドにより電線を保持する際のバインド材を形成する手順を示す図（その１）である。
【図５】図４に続く、碍子の頂部で巻付バインドにより電線を保持する際のバインド材を形成する手順を示す図（その２）である。
【図６】図５に続く、碍子の頂部で巻付バインドにより電線を保持する際のバインド材を形成する手順を示す図（その３）である。
【図７】図６に続く、碍子の頂部で巻付バインドにより電線を保持する際のバインド材を形成する手順を示す図（その４）である。
【図８】図７に続く、碍子の頂部で巻付バインドにより電線を保持する際のバインド材を形成する手順を示す図（その５）である。
【図９】図８に続く、碍子の頂部で巻付バインドにより電線を保持する際のバインド材を形成する手順を示す図（その６）である。
【図１０】図９に続く、碍子の頂部で巻付バインドにより電線を保持する際のバインド材を形成する手順を示す図（その７）である。
【図１１】図１０に続く、碍子の頂部で巻付バインドにより電線を保持する際のバインド材を形成する手順を示す図（その８）である。
【図１２】図１１に続く、碍子の頂部で巻付バインドにより電線を保持する際のバインド材を形成する手順を示す図（その９）である。
【図１３】本発明に係る、碍子の頂部で巻付バインドにより電線を保持する際のバインド材の取り付け手順を示す図（その１）である。
【図１４】図１３に続く、碍子の頂部で巻付バインドにより電線を保持する際のバインド材の取り付け手順を示す図（その２）である。
【図１５】図１４に続く、碍子の頂部で巻付バインドにより電線を保持する際のバインド材の取り付け手順を示す図（その３）である。
【図１６】図１５に続く、碍子の頂部で巻付バインドにより電線を保持する際のバインド材の取り付け手順を示す図（その４）である。
【図１７】図１６に続く、碍子の頂部で巻付バインドにより電線を保持する際のバインド材の取り付け手順を示す図（その５）である。
【図１８】図１７に続く、碍子の頂部で巻付バインドにより電線を保持する際のバインド材の取り付け手順を示す図（その６）である。
【図１９】図１８に続く、碍子の頂部で巻付バインドにより電線を保持する際のバインド材の取り付け手順を示す図（その７）である。
【図２０】図１９に続く、碍子の頂部で巻付バインドにより電線を保持する際のバインド材の取り付け手順を示す図（その８）である。
【図２１】本発明に係る碍子の頂部で巻付バインドにより電線を保持する際のバインドの完了状態を正面からみた図である。
【図２２】図２１に示す、碍子の頂部で巻付バインドにより電線を保持する際のバインドの完了状態を裏面からみた図である。
【図２３】図２１に示す、碍子の頂部で巻付バインドにより電線を保持する際のバインドの完了状態を碍子と電線を仮想線として示した図である。
【符号の説明】
【００４４】
１  バインド材
１’  バインド素材
２  円弧状巻掛部
３  押縛部
４  碍子係合部
５  螺旋部
１０  碍子
１１  頂部
１２  溝
１３  縁部
１４  頸部
１５  円筒体
２０  電線
【図１】
2009176497.tif 000003
【図２】
2009176497.tif 000004
【図３】
2009176497.tif 000005
【図４】
2009176497.tif 000006
【図５】
2009176497.tif 000007
【図６】
2009176497.tif 000008
【図７】
2009176497.tif 000009
【図８】
2009176497.tif 000010
【図９】
2009176497.tif 000011
【図１０】
2009176497.tif 000012
【図１１】
2009176497.tif 000013
【図１２】
2009176497.tif 000014
【図１３】
2009176497.tif 000015
【図１４】
2009176497.tif 000016
【図１５】
2009176497.tif 000017
【図１６】
2009176497.tif 000018
【図１７】
2009176497.tif 000019
【図１８】
2009176497.tif 000020
【図１９】
2009176497.tif 000021
【図２０】
2009176497.tif 000022
【図２１】
2009176497.tif 000023
【図２２】
2009176497.tif 000024
【図２３】
2009176497.tif 000025